(57)【要約】【課題】呼出音を小さくしたい時間帯には呼出音を小さく設定でき、また、音が小さいために操作者が呼出音に気づかない場合には、呼出音を少しずつ大きくして操作者に呼出音を気づかせるようにすることも可能な通信端末装置を提供すること。【解決手段】呼出音の発声回数によって呼出音の大きさを変化させる制御手段９を備え、また、指定された呼出音の大きさを記憶する記憶手段１１と、呼出音の発声回数により呼出音の大きさを変化させる前の最初の呼出音の大きさを、予め任意に指定できる手段１４，時刻を出力する時計手段１７と呼出音の発声回数により呼出音の大きさを変化させる前の最初の呼出音の大きさを、時間帯によってそれぞれ任意に指定できる手段１４を備えたことを特徴とする。【選択図】図１
2006074836.tif 000002
【特許請求の範囲】
【請求項１】
呼出信号検出手段，呼出音発声手段，呼出音量制御手段を有し、電話回線に接続され、音声や画像を送受信する通信端末装置であって、呼出信号検出時に、呼出音の発声回数によって呼出音の大きさを変化させる制御手段を備えたことを特徴とする通信端末装置。
【請求項２】
前記各手段に加えて、指定された呼出音の大きさを記憶する記憶手段と、呼出音の発声回数により呼出音の大きさを変化させる前の最初の呼出音の大きさを、予め任意に指定できる手段を備えたことを特徴とする請求項１記載の通信端末装置。
【請求項３】
前記各手段に加えて、時刻を出力する時計手段と、呼出音の発声回数により呼出音の大きさを変化させる前の最初の呼出音の大きさを、時間帯によってそれぞれ任意に指定できる手段を備えたことを特徴とする請求項２記載の通信端末装置。
【請求項４】
呼出信号検出手段，外部に一般の電話機を接続できる外設電話鳴動手段，前記外設電話機の鳴動音量制御手段を有し、電話回線に接続され、音声や画像を送受信する通信端末装置であって、前記外設電話機の鳴動回数によって当該外設電話機の鳴動音の大きさを変化させる制御手段を備えたことを特徴とする通信端末装置。
【請求項５】
前記各手段に加えて、前記外設電話機の鳴動音の大きさを記憶する記憶手段と、前記外設電話機の鳴動音の大きさを変化させる前の最初の鳴動音の大きさを、予め任意に指定できる手段を備えたことを特徴とする請求項４記載の通信端末装置。
【請求項６】
前記各手段に加えて、時刻を出力する時計手段と、前記外設電話機の鳴動音の大きさを変化させる前の最初の鳴動音の大きさを、時間帯によってそれぞれ任意に指定できる手段を備えたことを特徴とする請求項５記載の通信端末装置。
【発明の詳細な説明】
【技術分野】
【０００１】
本発明は通信端末装置に関し、特に電話回線に接続され、呼出音の大きさを制御可能とした通信端末装置に関する。
【背景技術】
【０００２】
この種の従来技術としては、例えば、特開平５−２７６２２７号公報（特許文献１）に開示された技術が知られている。この技術「端末装置における呼出音量設定方式」は、時刻を出力する時計回路と、呼出音の大きさおよび時間帯を記憶する記憶部と、呼出音量制御部と、時間帯を指定すると共にその呼出音量を示す情報を入力するための設定部とを備え、設定部から時間帯と呼出音量情報が入力されたときこれを上記記憶部に記憶し、設定した時間帯になったとき、その時間帯に対応して設定されている呼出音量の大きさに呼出音生成部を制御するように構成したことを特徴とするものである。
【０００３】
【特許文献１】特開平５−２７６２２７号公報
【発明の開示】
【発明が解決しようとする課題】
【０００４】
上記従来技術に記載の、端末装置における呼出音量設定方式では、着信時の呼出音の大きさを時間帯によって任意に設定可能にしている。
しかしながら、この方式では、時間帯に対応して呼出音の大きさが固定されているため、１つの時間帯の中では１つの大きさの呼出音が出力され続けることになる。従って、ある時間帯において音量を小さくする設定が行われていた場合、音量が小さいためにいつまでも操作者が呼出音に気づかないままになってしまう可能性がある。
【０００５】
本発明の目的とするところは、従来の技術における上述の如き問題を解消し、呼出音を小さくしたい時間帯には呼出音を小さく設定でき、また、音が小さいために操作者が呼出音に気づかない場合には、呼出音を少しずつ大きくして操作者に呼出音を気づかせるようにするような通信端末装置を提供することにある。より詳細には、下記に示す(１)〜(１０)のような機能を有する通信端末装置を提供することにある。
【０００６】
（１）呼出音の発声回数に従って、呼出音の大きさを変化させていく機能。
（２）呼出音の発声回数により呼出音の大きさを変化させる前の最初の呼出音の大きさを、予め任意に指定できる機能。
（３）呼出音の発声回数により呼出音の大きさを変化させる前の最初の呼出音の大きさを、時間帯によってそれぞれ任意に指定できる機能。
（４）更に、呼出音の発声回数に従って呼出音の大きさを変化させていくとき、呼出音の大きさを変化させる前に、同じ大きさの呼出音を何回発声させるかを、任意に指定できる機能。
（５）また、呼出音の大きさを変化させる前に、同じ大きさの呼出音を何回発声させるかを、時間帯によってそれぞれ任意に指定できる機能。
【０００７】
（６）外設電話機鳴動手段を備え、外設電話機の鳴動回数に従って外設電話機の鳴動音の大きさを変化させていく機能。
（７）外設電話機の鳴動音の大きさを変化させる前の最初の鳴動音の大きさを、予め任意に設定できる機能。
（８）外設電話機の鳴動音の大きさを変化させる前の、最初の鳴動音の大きさを、時間帯によってそれぞれ任意に設定できる機能。
（９）更に、外設電話機の鳴動回数に従って鳴動音の大きさを変化させていくとき、鳴動音の大きさを変化させる前に、同じ大きさの鳴動音を何回発声させるかを、任意に設定できる機能。
（１０）また、外設電話機の鳴動音の大きさを変化させる前に、同じ大きさの鳴動音を何回発声させるかを、時間帯によってそれぞれ任意に設定できる機能。
【課題を解決するための手段】
【０００８】
上記目的を達成するため、本願請求項１〜３に係る発明においては、呼出信号検出時に、呼出音の発声回数によって呼出音の大きさを変化させる制御手段９を備え、また、指定された呼出音の大きさを記憶する記憶手段１１と、呼出音の発声回数により呼出音の大きさを変化させる前の最初の呼出音の大きさを、予め任意に指定できる手段１４，時刻を出力する時計手段１７と呼出音の発声回数により呼出音の大きさを変化させる前の最初の呼出音の大きさを、時間帯によってそれぞれ任意に指定できる手段１４を備えたことを特徴とする。
【０００９】
一方、本願請求項４〜６に係る発明においては、外設電話機の鳴動回数によって当該外設電話機の鳴動音の大きさを変化させる制御手段９を備え、また、外設電話機２１の鳴動音の大きさを記憶する記憶手段１１と、上記外設電話機２１の鳴動音の大きさを変化させる前の最初の鳴動音の大きさを、予め任意に指定できる手段１４，時刻を出力する時計手段１７と上記外設電話機２１の鳴動音の大きさを変化させる前の最初の鳴動音の大きさを、時間帯によってそれぞれ任意に指定できる手段１４を備えたことを特徴とする。
【発明の効果】
【００１０】
以上、詳細に説明したように、本発明によれば、呼出音を小さくしたい時間帯には呼出音を小さく設定でき、また、呼出音が小さいために操作者が呼出音に気づかない場合には、呼出音を少しずつ大きくして操作者に呼出音を気づかせるようにすることも可能な通信端末装置を実現できるという顕著な効果を奏するものである。
【発明を実施するための最良の形態】
【００１１】
以下、本発明の実施例を図面に基づいてより詳細に説明する。図１は、本発明の一実施例に係る通信端末装置の全体構成を示すブロック図である。図において、１はモデムで、画情報を変復調して送受信すると共に、伝送制御手順における各種制御信号を送受信する。２は内蔵電話機で、操作者が本体のハンドセットを取ると、後述するフックスイッチ２０が、機械的に内蔵電話機２側（ｆ側）に切り換わり、直流ループが閉結され、相手側と通話が行えるものである。
【００１２】
３は内蔵電話機オフフック検出部で、内蔵電話機２が操作者によりオフフックされたことを検出して、システム制御部９へ伝える。４は呼出信号検出部で、電話回線からの呼出信号を検出してシステム制御部９へ伝える。５は鳴動信号出力部で、外設電話機２１を鳴動させる信号を出力する。また、６は鳴動信号電圧調整部で、外設電話機２１を鳴動させる信号の電圧レベルを変化させる。７は直流電力供給部で、後述するリレー（Ｂ）１９がｄ側に切り換わっているときに、外設電話機２１に直流電流を供給する。
【００１３】
８は外設電話機オフフック検出部で、外設電話機２１がオフフックされたことを検出して、システム制御部９へ伝える。９はシステム制御部で、ＣＰＵ等から構成され、通信端末装置の各部を制御して、所定の動作を実行する。１０はＲＯＭで、通信端末装置が動作するための基本プログラムが予め格納されている。また、１１はＲＡＭで、時刻に対応するベル音量のデフォルトレベルの設定値や、同一音量を鳴らす回数の設定値を記憶したり、その他制御に必要な各種データを記憶する。
【００１４】
１２はスキャナで、原稿画像を読み取って画情報を出力する。１３はプロッタで、受信した画情報を記録紙に画像記録する。１４は操作表示部で、各種操作キーや表示器などを備え、操作者が各種操作を行うとともに、通信端末装置の動作状態を確認するものである。１５はベル音量調整部で、呼出信号着信時のベルの音量を変化させる。１６はベルで、呼出信号着信時に操作者を呼出す。また、１７は時計で、時刻をシステム制御部９へ伝える。
【００１５】
１８はリレー（Ａ）で、電話回線を、フックスイッチ２０側（ａ側）かモデム１側（ｂ側）かに切り換える。１９はリレー（Ｂ）で、外設電話機２１を、電話回線側（ｃ側）か直流電源供給部７側（ｄ側）かに切り換える。２０はフックスイッチで、操作者が本体のハンドセットを持ち上げると、機械的に内蔵電話機２側（ｆ側）に切り換わり、操作者が本体のハンドセットを置くと、機械的にリレー（Ｂ）１９側に切り換わる。また、２１は外設電話機で、通信端末装置の外部におかれ、通信端末装置とはモジュラーケーブルで接続されている。
【００１６】
次に、上述のように構成された本実施例に係る通信端末装置の動作について説明する。
本実施例に係る通信端末装置は、呼出信号着信時にベルを鳴らすが、ベルが鳴っても操作者が出ないと、ベルの音量を段々大きくしていく。
呼出信号着信時に鳴動するベルの音量は、例えば、図２に示すように、レベル１からレベル５まで５段階に切り換えが可能である。
【００１７】
一方、自動受信モードの設定時、自動着信後、相手が電話であれば、外設電話機２１を鳴らす鳴動信号を出力するが、その鳴動信号の電圧レベルも同様に、例えば、図３に示すようにレベル１からレベル５まで５段階に切り換えが可能である。なお、ここでは、鳴動信号の電圧レベルを切り換えることにより、外設電話機２１のベル音量の大きさを切り換えている。
操作者は、呼出信号着信時のベル音量のデフォルトレベルを、予め操作表示部１４への入力により設定することができる。また、同一音量で何回ベルが鳴ったら、音量を１ランクアップさせるかの設定も、予め操作表示部１４への入力により設定することができる。
【００１８】
また、図４に示すように、時間帯によって、ベル音量のデフォルトレベルと、同一音量で何回ベルが鳴ったら、音量を１ランクアップさせるかの設定も、予め操作表示部１４へ入力することにより設定することができる。設定されたデータはＲＡＭ１１に記憶される。
同様に、図５に示すように、時間帯によって、外設電話機を鳴らす鳴動信号の電圧のデフォルトレベルと、同一の電圧レベルで何回ベルが鳴ったら、電圧レベルを１ランクアップさせるかの設定も、予め操作表示部１４へ入力することにより設定することができ、設定されたデータはＲＡＭ１１に記憶される。
【００１９】
以下、具体的な動作例を説明する。
まず、本通信端末装置が電話モードのときの制御フローを、図６に示す。
待機状態においては、リレー（Ａ）１８はａ側、リレー（Ｂ）１９はｄ側にセットされている（ステップ６１）。
呼出信号検出部４が電話回線からの呼出信号を検出する（ステップ６２）と、システム制御部９は時計１７から現時刻を読み出すと共に、ＲＡＭ１１に記憶されているベル音量のデフォルトレベルの設定値を読み出し、この設定値に従ってベル音量調整部１５を制御し、所定の音量でベル１６を鳴動させる（ステップ６３）。
【００２０】
この後、操作者がハンドセットを持ち上げ電話に出ると、フックスイッチ２０が内蔵電話機２側（ｆ側）に切り換わる。内蔵電話機オフフック検出部がオフフックを検出して（ステップ６４）システム制御部９へ伝えると、システム制御部９はベル１６の鳴動を停止する（ステップ６５）。
オフフックが検出されなければ、現在のベル音量が最大の「レベル５」であるか否かを、ＲＡＭ１１のデータから認識し（ステップ６６）、「レベル５」であれば、ベル音量はそのままでベル１６を鳴らし続ける。呼出信号の検出がなくなる（ステップ６７）か、または、オフフックが検出される（ステップ６４）と、システム制御部９はベル１６の鳴動を停止する（ステップ６５）。
【００２１】
ステップ６６のチェックで現在のベル音量が最大の「レベル５」でなければ、現時刻における、呼出音の大きさを大きくする前に同じ大きさの呼出音を何回発声させるかの設定値をＲＡＭ１１から読み出す。
そして、その回数分ベルを鳴動させたら（ステップ６８）、ベル音量調整部１５を制御し、ベル音量を１ランクアップさせて（ステップ６９）鳴動を続ける。呼出信号の検出がなくなる（ステップ６７）か、または、オフフックが検出される（ステップ６４）と、ベル１６の鳴動を停止する（ステップ６５）。
【００２２】
上記実施例によれば、呼出音の発声回数によって呼出音の大きさを変化させていくので、呼出音を小さく設定していて、このままでは操作者が呼出音に気づかない場合でも、呼出音がだんだん大きくなり、操作者が呼出音を認識できるようになる。
また、呼出音の発声回数により呼出音の大きさを変化させる前の最初の呼出音の大きさを予め任意に指定でき、更に、呼出音の発生回数により呼出音の大きさを変化させる前の最初の呼出音の大きさを予め任意に指定できるので、操作者各々の使用環境に対応でき、使い勝手がよくなるという効果が得られる。
【００２３】
更に、呼出音の発生回数によって呼出音の大きさを変化させていく際、呼出音の大きさを変化させる前に同じ大きさの呼出音を何回発声させるかを、任意に指定でき、また、呼出音の大きさを変化させる前に同じ大きさの呼出音を何回発声させるかを、時間帯によってそれぞれ任意に指定できるので、操作者各々の使用環境に対応でき、使い勝手がよくなるという効果が得られる。
次に、本実施例に係る通信端末装置が自動受信モードのときの制御フローを、図７に示す。
【００２４】
待機状態において、リレー（Ａ）１８はａ側、リレー（Ｂ）１９はｄ側にセットされている（ステップ７１）。
呼出信号検出部４が電話回線からの呼出信号を検出する（ステップ７２）と、システム制御部９はリレー（Ａ）１８をｂ側に切り換え（ステップ７３）、電話回線からのＣＮＧ信号を監視する。モデム１でＣＮＧ信号を検出する（ステップ７４）と、ＣＥＤ信号をモデム１から送出して、ファクシミリ受信動作（ステップ７５）を開始する。
【００２５】
ステップ７４で、モデム１でＣＮＧ信号が検出されない場合は、システム制御部９は時計１７から現時刻を読み出すと共に、ＲＡＭ１１に記憶されている、現時刻に対応した鳴動信号の電圧レベルを読み出す。そして、その設定値に従って鳴動信号電圧調整部６を制御し、所定の電圧レベルの鳴動信号を外設電話機２１に出力し、外設電話機のベルを鳴らして（ステップ７６）操作者を呼出す。
留守番電話機が接続されている場合には、この鳴動信号により留守番電話機は起動する。
【００２６】
操作者により外設電話機２１がオフフックされる（ステップ７７）と、外設電話機オフフック検出部８は、それを検出してシステム制御部９へ伝える。システム制御部９は鳴動信号の出力を停止して（ステップ７８）、リレー（Ａ）１８とリレー（Ｂ）１９を切り換え、外設電話機２１による相手側との通話を可能にする。
また、外設電話機２１がオフフックされない場合は、システム制御部９は外設電話機２１を呼出している時間が所定の時間をオーバーしていないかを確認する（ステップ７９）。
【００２７】
そして、所定の時間をオーバーしている場合には、外設電話機２１への鳴動信号の出力を停止する（ステップ７８）。オーバーしていない場合には現在の鳴動信号の電圧レベルが最大の「レベル５」であるか否かを、ＲＡＭ１１のデータから認識し（ステップ８０）、「レベル５」であれば、電圧レベルはそのままで鳴動信号の出力を続け、タイムオーバーになる（ステップ７９）か、または、外設電話機２１のオフフックが検出される（ステップ７７）と、鳴動信号の出力を停止する（ステップ７８）。
【００２８】
また、ステップ８０のチェックで、現在の鳴動信号の電圧レベルが最大の「レベル５」でなければ、現時刻において、電圧レベルを上げる前に同一電圧で何回出力させるかの設定値をＲＡＭ１１から読み出す。そして、その回数分鳴動信号を出力する（ステップ８１）と、鳴動信号電圧調整部６を制御し、電圧レベルを１ランクアップさせて（ステップ８２）鳴動信号の出力を続ける。
タイムオーバーになる（ステップ７９）か、または、外設電話機２１のオフフックが検出される（ステップ７７）と、鳴動信号の出力を停止する（ステップ７８）。
【００２９】
上記実施例によれば、外設電話機の鳴動回数によって外設電話機の鳴動音の大きさを変化させていくので、外設電話機の鳴動音を小さく設定していて、操作者が外設電話機の鳴動音に気づかないときでも、外設電話機の鳴動音がだんだん大きくなり、操作者が外設電話機の鳴動音を認識できるようになる。
また、外設電話機の鳴動音の大きさを変化させる前の最初の呼出音の大きさを予め任意に指定でき、更に、外設電話機の鳴動音の大きさを変化させる前の最初の呼出音の大きさを時間帯によってそれぞれ任意に指定できるので、操作者各々の使用環境に対応でき、使い勝手がよくという効果が得られる。
【００３０】
更に、外設電話機の鳴動回数によって鳴動音の大きさを変化させていく際、鳴動音の大きさを変化させる前に同じ大きさの鳴動音を何回発声させるかを任意に指定でき、また、外設電話機の鳴動音の大きさを変化させる前に同じ大きさの呼出音を何回発声させるかを、時間帯によってそれぞれ任意に指定できるので、操作者各々の使用環境に対応でき、使い勝手がよくなるという効果が得られる。
【００３１】
なお、上記各実施例は本発明の一例を示したものであり、本発明はこれらに限定されるべきものではないことは言うまでもないことである。
例えば、上記実施例では、鳴動信号の電圧レベルを切り換えることにより、外設電話機２１のベル音量の大きさを切り換えているが、これは、電圧レベルを変えずに出力の持続時間を変えるようにしてもよい。
【図面の簡単な説明】
【００３２】
【図１】本発明の一実施例に係る通信端末装置の全体構成を示すブロック図である。
【図２】電話モードのとき、呼出信号着信時に鳴動するベルの音量レベルを説明する図である。
【図３】自動受信モードのとき、呼出信号着信時に出力する鳴動信号の電圧レベルを説明する図である。
【図４】電話モードのときの、時間帯別ベル音量デフォルトレベルおよび同一音量鳴動回数の設定の一例を示す図である。
【図５】自動受信モードのときの、時間帯別鳴動信号電圧デフォルトレベルおよび同一電圧出力回数の設定の一例を示す図である。
【図６】電話モードのときの動作例を示すフローチャートである。
【図７】自動受信モードのときの動作例を示すフローチャートである。
【符号の説明】
【００３３】
１  モデム
２  内蔵電話機
３  内蔵電話オフフック検出部
４  呼出信号検出部
５  鳴動信号出力部
６  鳴動信号電圧調整部
７  直流電力供給部
８  外設電話機オフフック検出部
９  システム制御部
１０  ＲＯＭ
１１  ＲＡＭ
１２  スキャナ
１３  プロッタ
１４  操作表示部
１５  ベル音量調整部
１６  ベル
１７  時計
１８  リレー（Ａ）
１９  リレー（Ｂ）
２０  フックスイッチ
２１  外設電話機
【図１】
2006074836.tif 000003
【図２】
2006074836.tif 000004
【図３】
2006074836.tif 000005
【図４】
2006074836.tif 000006
【図５】
2006074836.tif 000007
【図６】
2006074836.tif 000008
【図７】
2006074836.tif 000009
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
通信回線に接続され、該通信回線から着信信号を検出すると、所定の音量で呼出音を鳴動させる通信装置であって、
着信信号検出時に、呼出音の鳴動期間によって呼出音の大きさを段階的に変化させる制御手段と、
呼出音の最大音量を記憶する記憶手段とを備え、
前記制御手段は、呼出音が前記最大音量に至った場合に、音量はそのままで該呼出音を鳴らし続け、呼出している時間が所定の時間をオーバーした場合には、該呼出音の出力を停止することを特徴とする通信装置。
【請求項２】
請求項1記載の通信装置であって、
さらに、データ通信または音声通信を判別する信号（ＣＮＧ信号）を検出する検出手段を備え、該検出手段の検出結果に基づいてデータ通信または音声通信のいずれかに切り替えることを特徴とする通信装置。」
【請求項３】
請求項１または２記載の通信装置であって、
前記鳴動期間は、鳴動回数に基づくものであることを特徴とする通信装置。
【手続補正３】
【補正対象書類名】明細書
【補正対象項目名】０００１
【補正方法】変更
【補正の内容】
【０００１】
本発明は通信装置に関し、特に電話回線に接続され、呼出音の大きさを制御可能とした通信装置に関する。
【手続補正４】
【補正対象書類名】明細書
【補正対象項目名】０００５
【補正方法】変更
【補正の内容】
【０００５】
本発明の目的とするところは、従来の技術における上述の如き問題を解消し、呼出音を小さくしたい時間帯には呼出音を小さく設定でき、また、音が小さいために操作者が呼出音に気づかない場合には、呼出音を少しずつ大きくして操作者に呼出音を気づかせるようにするような通信装置を提供することにある。より詳細には、下記に示す(１)〜(１０)のような機能を有する通信装置を提供することにある。
【手続補正５】
【補正対象書類名】明細書
【補正対象項目名】０００８
【補正方法】変更
【補正の内容】
【０００８】
上記目的を達成するため、本願請求項１に係る発明においては、着信信号検出時に、呼出音の鳴動期間によって呼出音の大きさを段階的に変化させる制御手段と、呼出音の最大音量を記憶する記憶手段とを備え、前記制御手段は、呼出音が前記最大音量に至った場合に、音量はそのままで該呼出音を鳴らし続け、呼出している時間が所定の時間をオーバーした場合には、該呼出音の出力を停止することを特徴とする。
【手続補正６】
【補正対象書類名】明細書
【補正対象項目名】０００９
【補正方法】変更
【補正の内容】
【０００９】
また、本願請求項２に係る発明においては、請求項1記載の通信装置において、さらに、データ通信または音声通信を判別する信号（ＣＮＧ信号）を検出する検出手段を備え、該検出手段の検出結果に基づいてデータ通信または音声通信のいずれかに切り替えることを特徴とし、本願請求項３に係る発明においては、さらに、前記鳴動期間が鳴動回数に基づくものであることを特徴とする。
【手続補正７】
【補正対象書類名】明細書
【補正対象項目名】００１０
【補正方法】変更
【補正の内容】
【００１０】
以上、詳細に説明したように、本発明によれば、呼出音を小さくしたい時間帯には呼出音を小さく設定でき、また、呼出音が小さいために操作者が呼出音に気づかない場合には、呼出音を少しずつ大きくして操作者に呼出音を気づかせるようにすることも可能な通信装置を実現できるという顕著な効果を奏するものである。